(57)【要約】【課題】表示パネルを用いずに、操作キーと報知用の例えば点灯部を用いて、スリープ移行時間等の装置の動作に必要な各種設定時間を設定可能にする。【解決手段】ランプ３１は２0桁目、ランプ３２は２1桁目、ランプ３３は２2桁目、ランプ３４は２3桁目、ランプ３５は２4桁目、ランプ３６は２5桁目とする。そして、スリープ移行時間制御部がランプ３１のみ点灯させた場合、２進数で表すと「０００００１」となるため、スリープ移行時間は１分であることを示している。ランプ３２のみを点灯させた場合、２進数で表すと「００００１０」となるため、スリープ移行時間は２分であることを示している。他の操作キーを用いて、各ランプの点灯、消灯を設定することで、各桁の０、１を設定し、スリープ移行時間を決定する。【選択図】図５
2017100308.tif 000002
【特許請求の範囲】
【請求項１】
報知部以外の表示部を持たない電子機器であって、
前記電子機器に対する各種操作の指示入力を受け付ける複数の入力受付部と、
前記電子機器の状態を点灯又は消灯によって報知するＮ個（Ｎは２以上の自然数）の前記報知部と、
前記入力受付部が予め定められた第１の操作を受け付けると、前記電子機器の設定を変更するための設定モードに移行する制御部とを備え、
前記設定モード時において、前記報知部は、予め設定された底ｘ（ｘは２以上の自然数）と指数ｎの累乗（ｎは０以上であって前記Ｎより１つ少ない数以下の自然数）を用いて報知する必要のある数字を表すものであり、前記制御部は、前記各報知部に対して前記指数ｎである０からＮ−１の各自然数を割り当て、前記報知する必要のある数字をｎ進法に従って報知させる報知制御を行い、
前記制御部は、前記入力受付部が予め定められた第２の操作を受け付けると、前記報知制御により前記報知部に報知させている前記数字を、前記電子機器の設定として受け付ける電子機器。
【請求項２】
前記制御部は、前記電子機器に対する通常の電力供給状態から、当該電子機器を電源オフ状態または当該電子機器の主要駆動部に電力を供給しないスリープ状態とするまでのスリープ移行時間を設定するスリープ移行時間制御部を有し、
前記入力受付部が前記第１の操作を受け付けると、前記スリープ移行時間制御部は、スリープ移行時間設定モードに移行し、前記スリープ移行時間を、前記ｎ進法を使って前記報知部に報知させる制御を行い、
前記制御部は、前記入力受付部が前記第２の操作を受け付けると、前記報知制御により前記報知部に報知させている前記数字を、前記電子機器の設定としての前記スリープ移行時間を受け付ける請求項１に記載の電子機器。
【請求項３】
前記底ｘは２であり、前記スリープ移行時間制御部は、前記報知部の点灯を１及び消灯を０として表し、又は、前記報知部の点灯を０及び消灯を１として表し、点灯している前記報知部に割り当てられた指数ｎを用いて２のｎ乗を算出し、それらを全て足し合わせた数を前記スリープ移行時間として報知する請求項１又は請求項２に記載の電子機器。
【請求項４】
前記底ｘは３であり、前記スリープ移行時間制御部は、前記報知部の点灯、消灯、消滅を表し、報知部の状態を、前記報知部に割り当てられた指数ｎを用いて３のｎ乗を算出し、それらを全て足し合わせた数を前記スリープ移行時間として報知する請求項１又は請求項２に記載の電子機器。
【請求項５】
前記底ｘが３以上であるとき、前記スリープ移行時間制御部は、前記報知部が示す０からｘ−１の範囲の自然数の区別を明るさの違いで表す制御を行う請求項１又は請求項２に記載の電子機器。
【請求項６】
前記底ｘが３以上であるとき、前記スリープ移行時間制御部は、前記報知部が示す０からｘ−１の範囲の自然数の区別を色の違いで表す制御を行う請求項１又は請求項２に記載の電子機器。
【請求項７】
前記底ｘが３以上であるとき、前記スリープ移行時間制御部は、前記報知部が示す０からｘ−１までの自然数の区別を点滅の仕方の違いで表す制御を行う請求項１又は請求項２に記載の電子機器。
【請求項８】
前記スリープ移行時間制御部は、前記報知部が示す０からｘ−１までの自然数の区別を点滅の回数の違いで表す制御を行う請求項７に記載の電子機器。
【発明の詳細な説明】
【技術分野】
【０００１】
本発明は、表示パネルを持たず報知用のＬＥＤを用いて各種数値を表示する電子機器とその電子機器を備えた画像形成装置に関する。
【背景技術】
【０００２】
画像形成装置の中には、装置の小型化やコスト削減の為に、操作部に表示パネルを設けておらず、装置に操作指示を出す操作キーと、装置の異常を報知するＬＥＤのみを有するものがある。このような画像形成装置において、通常の電力供給状態から、装置の電源オフまたは装置の主要駆動部に電力を供給しないスリープ状態とするまでのスリープ移行時間を設定する際、外部のコンピューター等から設定を行っていた。特許文献１及び２には、少ない数のキーで簡単にスリープ動作に関する時間設定を行う装置の技術について記載されている。
【先行技術文献】
【特許文献】
【０００３】
【特許文献１】特開２００５−２８０２９６号公報
【特許文献２】特開２０１１−１１４００号公報
【発明の概要】
【発明が解決しようとする課題】
【０００４】
しかしながら、特許文献１にはスリープ移行時間の設定方法の記載はあるが、ＬＥＤ等を用いてスリープ移行時間を表示する方法は記載されていない。また特許文献２に記載された技術には表示パネルが含まれており、表示パネルを持たない装置には適応できない。
【０００５】
本発明は、上記の問題を解決するためになされたもので、表示パネルを用いずに、操作キーと報知用の例えば点灯部を用いて、スリープ移行時間等の装置の動作に必要な各種設定時間を設定可能にすることを目的とする。
【課題を解決するための手段】
【０００６】
本発明の一局面に係る電子機器は、報知部以外の表示部を持たない電子機器であって、前記電子機器に対する各種操作の指示入力を受け付ける複数の入力受付部と、前記電子機器の状態を点灯又は消灯によって報知するＮ個（Ｎは２以上の自然数）の前記報知部と、前記入力受付部が予め定められた第１の操作を受け付けると、前記電子機器の設定を変更するための設定モードに移行する制御部とを備え、前記設定モード時において、前記報知部は、予め設定された底ｘ（ｘは２以上の自然数）と指数ｎの累乗（ｎは０以上であって前記Ｎより１つ少ない数以下の自然数）を用いて報知する必要のある数字を表すものであり、前記制御部は、前記各報知部に対して前記指数ｎである０からＮ−１の各自然数を割り当て、前記報知する必要のある数字をｎ進法に従って報知させる報知制御を行い、前記制御部は、前記入力受付部が予め定められた第２の操作を受け付けると、前記報知制御により前記報知部に報知させている前記数字を、前記電子機器の設定として受け付ける。
【発明の効果】
【０００７】
本発明によれば、表示パネル等の表示部がなくても、複数の報知部（例えばＬＥＤ）を用いてｎ進法を用いることで設定中の数値を報知し、ユーザーに視認させることができ、このように報知している数値を電子機器の設定として受け付けることができる。例えばスリープモードが内蔵された電子機器において、その通常モードからスリープモードへの移行時間（スリープ移行時間）を設定する際に、複数の報知部を用いてスリープ移行時間を表現することによって、表示部がなくても入力受付部からスリープ移行時間を設定することができる。
【図面の簡単な説明】
【０００８】
【図１】画像形成装置の外観斜視図である。
【図２】操作部の正面図の一例である。
【図３】画像形成装置の主要内部構成を示す機能ブロック図である。
【図４】各ランプに割り当てられた２進数の桁の一例を表にして示した図である。
【図５】ＬＥＤを用いたスリープ移行時間の表現方法の一例を示した図である。
【図６】ＬＥＤを用いたスリープ移行時間の表現方法の一例を示した図である。
【図７】ＬＥＤを用いたスリープ移行時間の表現方法の一例を示した図である。
【図８】ＬＥＤを用いたスリープ移行時間の表現方法の一例を示した図である。
【図９】ＬＥＤを用いたスリープ移行時間の表現方法の一例を示した図である。
【図１０】スリープ移行時間設定処理の流れを示したフローチャートである。
【発明を実施するための形態】
【０００９】
以下、本発明の一実施形態に係る電子機器及び画像形成装置について図面を参照して説明する。本実施の形態においては、画像形成装置１としてプリンターを例に挙げて説明する。
【００１０】
図１は、画像形成装置１の外観斜視図である。図２は、操作部１４の正面図の一例である。画像形成装置１は、用紙にトナーやインク等を用いて画像を形成するものであって、略直方体形状の筐体構造を有する本体ハウジング２と、この本体ハウジング２内に収容される給紙部３、本体ハウジング２の内部に画像形成部（不図示）等を含む。
【００１１】
給紙部３から送り出された用紙は、画像形成部に搬送され、トナーやインク等によって画像が形成される。その後、用紙排出口１２から本体ハウジング２の上面に設けられた用紙排出部１３に排出される。尚、手差しトレイ５を前方に引き出して任意の用紙を載置すれば、その用紙が画像形成部に搬送される。
【００１２】
操作部１４は、各種メッセージを表示する表示パネルは持たず、操作キーや報知用のＬＥＤを備える。図２に示すように、操作部１４は、複数のハードキーで構成される操作キー１４１（入力受付部）と、複数の報知用ＬＥＤで構成されるＬＥＤ１４２（報知部）を備える。
【００１３】
操作キー１４１は、各種動作や処理の実行指示を受け付けるためのＧｏキー２１と、各種動作や処理の実行中止の指示を受け付けるためのＣａｎｃｅｌキー２２と、省エネモードの指示を受け付けるためのＱｕｉｅｔ  Ｍｏｄｅキー２３を有する。
【００１４】
ＬＥＤ１４２は、用紙切れを報知するＰａｐｅｒランプ３１、トナー切れを報知するＴｏｎｅｒランプ３２、用紙詰まりを報知するＪａｍランプ３３、装置内で発生した諸注意を報知するＡｔｔｅｎｔｉｏｎランプ３４、スリープ状態であることを報知するＳｌｅｅｐランプ３５及び待機状態であることを報知するＲｅａｄｙランプ３６を有する。
【００１５】
図３は、画像形成装置１の主要内部構成を示す機能ブロック図である。尚、図１にて説明した構成要素と同じ要素については同じ符号を付し、説明を省略する。
【００１６】
画像形成装置１は、主に、操作部１４、制御部９１、画像形成部９２及びネットワークＩ／Ｆ９３を備える。画像形成部９２は、パソコン等の外部装置から送信された画像データに基づいて用紙に画像を形成する。ネットワークＩ／Ｆ９３は、外部装置とデータの送受信を行うインターフェース回路である。
【００１７】
制御部９１は、ＣＰＵ(Central Processing Unit)、ＲＡＭ、ＲＯＭ及び専用のハードウェア回路等から構成され、画像形成装置１の全体的な動作制御を司るものであり、スリープ移行時間制御部９１１を有する。
【００１８】
スリープ移行時間制御部９１１は、画像形成装置１に供給される電力の供給状態が、通常の供給状態から、電源オフ状態または画像形成装置１の主要駆動部に電力を供給しない状態を示すスリープ状態に切り替わるまでの時間（スリープ移行時間）を設定する。更に、スリープ移行時間制御部９１１は、スリープ移行時間を設定するためのスリープ移行時間設定モード中にＬＥＤ１４２の点灯を制御することで、ＬＥＤ１４２を用いて設定中のスリープ移行時間を表現する。
【００１９】
具体的に説明する。スリープ移行時間制御部９１１は、ＬＥＤ１４２が有する６つの各ＬＥＤに２進数の１桁目から６桁目を割り当て、点灯状態を１、消灯状態を０として、スリープ移行時間を二進数で表現させる。図４は、各ランプに割り当てられた２進数の桁の一例を表にして示した図である。Ｐａｐｅｒランプ３１は２0桁目、Ｔｏｎｅｒランプ３２は２1桁目、Ｊａｍランプ３３は２2桁目、Ａｔｔｅｎｔｉｏｎランプ３４は２3桁目、Ｓｌｅｅｐランプ３５は２4桁目、Ｒｅａｄｙランプ３６は２5桁目とする。
【００２０】
図５〜図９は、ＬＥＤ１４２を用いたスリープ移行時間の表現方法の一例を示した図である。図５の＜例１＞に示すように、スリープ移行時間制御部９１１が、Ｐａｐｅｒランプ３１のみ点灯させ、他のランプを消灯させた場合、２進数で表すと「０００００１」となるため、スリープ移行時間は１分であることを示している。
【００２１】
図６の＜例２＞に示すように、スリープ移行時間制御部９１１が、Ｔｏｎｅｒランプ３２のみ点灯させた場合、２進数で表すと「００００１０」となるため、スリープ移行時間は２分であることを示している。
【００２２】
図７の＜例３＞に示すように、スリープ移行時間制御部９１１が、Ｔｏｎｅｒランプ３２とＡｔｔｅｎｔｉｏｎランプ３４を点灯させた場合、２進数で表すと「００１０１０」となるため、スリープ移行時間は１０分であることを示している。
【００２３】
図８の＜例４＞に示すように、スリープ移行時間制御部９１１が、Ｔｏｎｅｒランプ３２、Ｊａｍランプ３３、Ａｔｔｅｎｔｉｏｎランプ３４及びＳｌｅｅｐランプ３５を点灯させた場合、２進数で表すと「０１１１１０」となるため、スリープ移行時間は３０分であることを示している。
【００２４】
図９の＜例５＞に示すように、スリープ移行時間制御部９１１が、Ｊａｍランプ３３、Ａｔｔｅｎｔｉｏｎランプ３４、Ｓｌｅｅｐランプ３５及びＲｅａｄｙランプ３６を点灯させた場合、２進数で表すと「１１１１００」となるため、スリープ移行時間は６０分であることを示している。
【００２５】
このように、複数の各ＬＥＤに対してそれぞれ２進数の桁を割り当てることで、表示パネルがなくてもスリープ移行時間を表現することができる。尚、ＬＥＤ１４２の配列の仕方は、図２に示した一例に限らず、ＬＥＤ同士が隣接して配置されており、１列または２列に配設されていることが望ましい。更に、二進法を知らないユーザーの為に、画像形成装置１の説明書等に各ＬＥＤ１４２の表示パターンとスリープ移行時間を記した対応表があるとよい。
【００２６】
なお、上記では、スリープ移行時間制御部９１１は、ＬＥＤ１４２をなす各ランプの点灯を１及び消灯を０として表しているが、これに代えて、ＬＥＤ１４２をなす各ランプの点灯を０及び消灯を１として表すようにしてもよい。
【００２７】
次に、スリープ移行時間制御部９１１が実行するスリープ移行時間設定処理の流れについて説明する。図１０はその処理の流れを示したフローチャートである。
【００２８】
まず、Ｑｕｉｅｔ  Ｍｏｄｅキー２３が予め定められた時間（例えば２秒）以上、予め定められた第１の操作としての長押し操作がされると（ステップＳ１１；ＹＥＳ）、スリープ移行時間制御部９１１はスリープ移行時間設定モードに移行する（ステップＳ１２）。尚、本実施の形態では、Ｑｕｉｔｅ  Ｍｏｄｅキー２３の長押しによってスリープ移行時間設定モードへ移行することとして説明するが、上記第１の操作はこの限りではない。
【００２９】
スリープ移行時間制御部９１１は、全てのＬＥＤ１４２を所定時間点灯させ（ステップＳ１３）、その後全てのＬＥＤ１４２を消灯させる（ステップＳ１４）。この動作は、画像形成装置１がスリープ移行時間設定モードに移行したことを示すためのものである。
【００３０】
尚、ステップＳ１４において、スリープ移行時間制御部９１１が、現在設定されているスリープ移行時間を、ＬＥＤ１４２を用いて表示させるようにしてもよい。こうすることで、ユーザーは現在のスリープ移行時間を確認することができる。
【００３１】
そして、スリープ移行時間制御部９１１は、変数ｔに０を代入する（ステップＳ１５）。変数ｔは点灯させるＬＥＤ１４２を決定するために用いる変数であり０以上の自然数である。
【００３２】
次に、スリープ移行時間制御部９１１は、Ｃａｎｃｅｌキー２２が押下されたか否か判断する（ステップＳ１６）。押下された場合（ステップＳ１６；ＹＥＳ）、スリープ移行時間制御部９１１は変数ｔに１を加算し（ステップＳ１７）、２t-1桁目のランプを点滅させる（ステップＳ１８）。
【００３３】
例えば、ステップＳ１７において変数ｔの値が０から１になったとき、スリープ移行時間制御部９１１は、ステップＳ１８において図５の＜例１＞に示すように２0桁目であるＰａｐｅｒランプ３１を点滅させる。点滅状態とすることで、ユーザーに対してその桁は設定中であることを示している。
【００３４】
次に、Ｇｏキー２１が押下された場合（ステップＳ１９；ＹＥＳ）、スリープ移行時間制御部９１１は、２t-1桁目のランプが点滅していたら消灯させ、消灯していたら点滅させる（ステップＳ２０）。つまりＧｏキー２１が押下される毎に、スリープ移行時間制御部９１１は、２t-1桁目のランプの点滅と消灯を切り替える。そして、ユーザーはＧｏキー２１を操作することで、２0桁目を'１'としたい場合は点滅状態に、'０'としたい場合は消灯状態とする。
【００３５】
その後、再びＣａｎｃｅｌキー２２が押下されると（ステップＳ１９及びＳ２１；ＮＯの後、ステップＳ１６；ＹＥＳ）、スリープ移行時間制御部９１１は変数ｔに１を加算すると共に、点滅状態にあるランプを点灯状態にする（ステップＳ１７）。
【００３６】
つまり、Ｃａｎｃｅｌキー２２を押すことで、設定中の桁が２0桁目から２1桁目へ移動する。そして、この時点で２0桁目のランプ、即ちＰａｐｅｒランプ３１が点滅状態にある場合、スリープ移行時間制御部９１１がＰａｐｅｒランプ３１を点灯状態に切り替えることで、２0桁目の設定内容を確定すると共に、次の桁、即ち２1桁目のランプ（Ｔｏｎｅｒランプ３２）を点滅状態とする（ステップＳ１８）。そしてユーザーは、２1桁目を０又は１の何れにするかを、Ｇｏキー２１を押下することで設定する（ステップＳ１９、Ｓ２０）。
【００３７】
次に、スリープ移行時間制御部９１１は、Ｑｕｉｅｔ  Ｍｏｄｅキー２３が予め定められた時間以上押下されるという予め定められた第２の操作が行われたか否かを判断する（ステップＳ２１）。押下された場合(ステップＳ２１；ＹＥＳ)、スリープ移行時間制御部９１１は、各ＬＥＤ１４２の点灯状態からスリープ移行時間を算出して設定する（ステップＳ２２）。
【００３８】
例えば、図７の＜例３＞に示すように、Ｔｏｎｅｒランプ３２とＡｔｔｅｎｔｉｏｎランプ３４のみ点灯している場合、スリープ移行時間制御部９１１は、（００１０１０）2＝１０分を導き出し、スリープ移行時間を１０分に設定する。そして、スリープ移行時間制御部９１１は、スリープ移行時間設定モードを終了し（ステップＳ２３）、処理を終了する。
【００３９】
以上、説明したように、複数の各ＬＥＤ１４２に対してそれぞれ２進数の桁を割り当て、スリープ移行時間制御部９１１がＬＥＤ１４２を用いてスリープ移行時間を２進法で表現することで、ユーザーは表示パネルがなくてもスリープ移行時間を設定することができる。
【００４０】
尚、本発明は上記実施の形態の構成に限られず種々の変形が可能である。例えば、上記実施の形態では、スリープ移行時間制御部９１１は、各ランプを２進数の各桁に割り当てて、スリープ移行時間を表現することとしたが、２進数に限らず、３進数、４進数等でもよい。
【００４１】
例えば３進数で表現する場合、各桁は「０，１，２」の３種類の数を持ちうることになり、各ＬＥＤ１４２に対して３通りの表現方法を持たせる必要がある。
【００４２】
そこで、スリープ移行時間制御部９１１は、各ＬＥＤ１４２の表現方法を明るさ、色、点滅の仕方等で表現するようにしてもよい。明るさで３種類の違いを表現する場合、各ＬＥＤ１４２に対して「０」を表現させたいときは消灯、「１」を表現させたいときは５０％の明るさでの点灯、「２」を表現させたいときは１００％の明るさでの点灯とする。
【００４３】
また色で３種類の違いを表現する場合は、各ＬＥＤ１４２に対して「０」は赤色、「１」は黄色、「２」は青色で点灯させることとする。点滅の仕方で表現する場合は、「０」は遅い点滅、「１」は通常の点滅、「２」は早い点滅とし、すなわち、一定時間内における点滅の回数の違いにより「０」「１」「２」の別を表現する。
【００４４】
すなわち、この場合、スリープ移行時間制御部９１１は、ＬＥＤ１４２に割り当てられた指数ｎを用いて３のｎ乗を算出し、それらを全て足し合わせた数をスリープ移行時間として報知することになる。
【００４５】
このように、各ＬＥＤ１４２の明るさ、色、点滅の仕方等を用いることで、２進数以上の進法であっても、ＬＥＤ１４２を用いて表現することができる。
【００４６】
また、実施形態として画像形成装置に限られず、スリープモードを持つ電子機器であればよい。
【符号の説明】
【００４７】
１        画像形成装置
１４      操作部
１４１    操作キー
１４２    ＬＥＤ
９１      制御部
９１１    スリープ移行時間制御部
９２      画像形成部
９３      ネットワークＩ／Ｆ
【図１】
2017100308.tif 000003
【図２】
2017100308.tif 000004
【図３】
2017100308.tif 000005
【図４】
2017100308.tif 000006
【図５】
2017100308.tif 000007
【図６】
2017100308.tif 000008
【図７】
2017100308.tif 000009
【図８】
2017100308.tif 000010
【図９】
2017100308.tif 000011
【図１０】
2017100308.tif 000012